(57)【要約】      （修正有）【課題】スクリーン自体を折りたたんで、鞄の大きさに限定されない大きさとすることのできる携帯用スクリーンを提供する。【解決手段】長方形状の第一のスクリーン板１、長方形状の第二のスクリーン板２、長方形状の第一の端部板３１、長方形状の第二の端部板３２及び長方形状の第三の端部板３３を、この順に連接させ、３枚の端部板によってスクリーンを固定配置する。第一のスクリーン板１と３枚の端部板を折りたたみ、第二のスクリーン板２の大きさに収納できる。スクリーンの大きさは第一のスクリーン板１と第二のスクリーン板２を合わせた大きさとなり、収納できる大きさに限定されない。【選択図】図５
0003183717.tif 000002
【実用新案登録請求の範囲】
【請求項１】
長方形状の第一のスクリーン板、長方形状の第二のスクリーン板、長方形状の第一の端部板、長方形状の第二の端部板及び長方形状の第三の端部板を、この順に連接させ、
前記第一のスクリーン板、前記第二のスクリーン板、前記第一の端部板、前記第二の端部板及び前記第三の端部板に係る長方形の長辺の長さが等しく、
前記連接は、各長方形のそれぞれ１つの長辺同士の全部が接するものであり、該接する部分において連接する２枚の板のなす角度が可変であり、
前記第一のスクリーン板及び前記第二のスクリーン板の一面を被覆するスクリーンシートを備え、
前記第一のスクリーン板の短辺の長さは前記第二のスクリーン板の短辺の長さ以下であり、
前記３枚の端部板の短辺の長さの和は前記第二のスクリーン板の短辺の長さ以下であり、
前記第一のスクリーン板の短辺の長さと前記３枚の端部板の短辺の長さの総和は前記第二のスクリーン板の短辺の長さ以上であることを特徴とする、携帯用スクリーン。
【請求項２】
前記第一のスクリーン板の短辺の長さは前記第二のスクリーン板の短辺の長さに略等しく、
前記３枚の端部板の短辺の長さの和は前記第二のスクリーン板の短辺の長さに略等しいことを特徴とする、請求項１に記載の携帯用スクリーン。
【請求項３】
前記第一の端部板の短辺の長さ、前記第二の端部板の短辺の長さ及び前記第三の端部板の短辺の長さを３辺の長さとする三角形について、
前記第一の端部板の短辺及び前記第三の端部板の短辺に対応する２つの辺のなす角度が８０度〜９０度であることを特徴とする、請求項１又は２に記載の携帯用スクリーン。
【請求項４】
前記第二のスクリーン板の前記第一の端部板側の端部と前記第三の端部板とが磁着することを特徴とする、請求項１〜３のいずれか１項に記載の携帯用スクリーン。
【請求項５】
前記第一のスクリーン板の前記第二のスクリーン板側の端部と前記第三の端部板とが磁着することを特徴とする、請求項２又は３に記載の携帯用スクリーン。
【請求項６】
前記磁着が、前記第三の端部板に設けられた磁石と、前記第一のスクリーン板及び／又は前記第二のスクリーン板に設けられた鉄板によって行われることを特徴とする、請求項４又は５に記載の携帯用スクリーン。
【請求項７】
前記第二のスクリーン板に関する長方形は、その長辺の長さが２５０ｍｍ〜４３０ｍｍであることを特徴とする、請求項１〜６のいずれか１項に記載の携帯用スクリーン。
【考案の詳細な説明】
【技術分野】
【０００１】
本考案は、プレゼンテーション等を行う場に持参して使用する携帯用スクリーンに関するものである。
【背景技術】
【０００２】
従来、プレゼンテーション等を行う場に持参して使用する携帯用スクリーンは、スクリーンを巻き取って棒状（略円柱形状）にして携帯するものが主流であった。しかし、棒状にしたとしても棒が長く、携帯に不便であった。
【０００３】
最近、ＬＥＤを採用した手のひらサイズの小型プロジェクタが出現した。してみれば、スクリーンを小型にすることで、パーソナルコンピュータ、プロジェクタ及びスクリーンを全て鞄に入れて携帯することも可能である。また、少人数に向けてのプレゼンテーションでは、小型のスクリーンでも十分である。
特許文献１には、鞄に入れて携帯することのできる小型のスクリーン立て（スクリーン）が開示されている。
【０００４】
しかし、特許文献１開示されたスクリーンは、スクリーン自体を折りたたまないので、スクリーンの大きさは鞄の大きさに限定されてしまうものであった。
【先行技術文献】
【特許文献】
【０００５】
【特許文献１】特開２０１１−２２７３５９号公報
【考案の概要】
【考案が解決しようとする課題】
【０００６】
解決しようとする課題は、スクリーン自体を折りたたんで、鞄の大きさに限定されない大きさとすることのできる携帯用スクリーンを提供することである。
【課題を解決するための手段】
【０００７】
本考案の携帯用スクリーンは、
長方形状の第一のスクリーン板、長方形状の第二のスクリーン板、長方形状の第一の端部板、長方形状の第二の端部板及び長方形状の第三の端部板を、この順に連接させ、
前記第一のスクリーン板、前記第二のスクリーン板、前記第一の端部板、前記第二の端部板及び前記第三の端部板に係る長方形の長辺の長さが等しく、
前記連接は、各長方形のそれぞれ１つの長辺同士の全部が接するものであり、該接する部分において連接する２枚の板のなす角度が可変であり、
前記第一のスクリーン板及び前記第二のスクリーン板の一面を被覆するスクリーンシートを備え、
前記第一のスクリーン板の短辺の長さは前記第二のスクリーン板の短辺の長さ以下であり、
前記３枚の端部板の短辺の長さの和は前記第二のスクリーン板の短辺の長さ以下であり、
前記第一のスクリーン板の短辺の長さと前記３枚の端部板の短辺の長さの総和は前記第二のスクリーン板の短辺の長さ以上であることを特徴とする。
【０００８】
本考案の携帯用スクリーンは、概略、図１（ａ）に示す形態である。第一のスクリーン板１、第二のスクリーン板２、第一の端部板３１、第二の端部板３２及び第三の端部板３３が連接している。
スクリーンシートにより、第一のスクリーン板１と第二のスクリーン板２とを合わせて１つのスクリーンとすることができる。スクリーンシートの効果については後述する。
図１（ｂ）のように、第二のスクリーン板２の大きさに折りたたんで鞄に入れることができる。第一のスクリーン板１と第二のスクリーン板２とを合わせて１つのスクリーンとすることができるので、鞄の大きさよりも大きなスクリーンとすることができる。
【０００９】
本考案の携帯用スクリーンは、
前記第一のスクリーン板の短辺の長さは前記第二のスクリーン板の短辺の長さに略等しく、
前記３枚の端部板の短辺の長さの和は前記第二のスクリーン板の短辺の長さに略等しいことを特徴とする。
【００１０】
短辺の長さを調整して図２に示す形態を実現するものである。図２（ｂ）のとおり、整然と折りたたむことができる。
図３に、本考案の携帯用スクリーンの第一の利用形態を示す。第一の端部板３１、第二の端部板３２及び第三の端部板３３を折り曲げて、特許文献１に開示のスクリーンと同様の利用が可能である。
【００１１】
本考案の携帯用スクリーンは、
前記第一の端部板の短辺の長さ、前記第二の端部板の短辺の長さ及び前記第三の端部板の短辺の長さを３辺の長さとする三角形について、
前記第一の端部板の短辺及び前記第三の端部板の短辺に対応する２つの辺のなす角度が８０度〜９０度であることを特徴とする。
【００１２】
図４に、本考案の携帯用スクリーンの第二の利用形態を示す。第一の端部板３１を底面として、第二のスクリーン板２のみをスクリーンとして使用する。
この際、第一の端部板の短辺及び第三の端部板の短辺に対応する２つの辺のなす角度（図においてθで示す）は８０度〜９０度であることが好ましい。プロジェクタからの映像を正しく表示するためである。θが８０度未満となると、プロジェクタにおける台形補正が大きくなってしまうからである。
なお、台形補正を少なくするため、θは８８度〜９０度であることが理想的である。
風や設置場所（机など）のゆれによって転倒してしまうことを予防するため、厳密に９０度とはしない（例えば８９度とする）ことも考えられ、θは設計によって変更し得る。
【００１３】
以上のように、本考案の携帯用スクリーンは、スクリーン面積の大きい第一の利用形態と面積を持った底面により設置の安定した第二の利用形態の２つの利用形態がある。用途に応じて利用形態を選択できることが本考案の携帯用スクリーンのメリットの一つである。
【００１４】
本考案の携帯用スクリーンは、
前記第二のスクリーン板の前記第一の端部板側の端部と前記第三の端部板とが磁着することを特徴とする。
【００１５】
図２（ｂ）における磁着部５を磁着させるものである。折りたたんだ状態を安定して保つことができる。
【００１６】
本考案の携帯用スクリーンは、
前記第一のスクリーン板の前記第二のスクリーン板側の端部と前記第三の端部板とが磁着することを特徴とする。
【００１７】
図３及び図４における磁着部５を磁着させるものである。第一の利用形態、第二の利用形態のいずれにおいても３枚の端部板を安定して配置することができる。
【００１８】
本考案の携帯用スクリーンは、
前記磁着が、前記第三の端部板に設けられた磁石と、前記第一のスクリーン板及び／又は前記第二のスクリーン板に設けられた鉄板によって行われることを特徴とする。
【００１９】
磁石と鉄板による構成は、生産が容易である。
【００２０】
本考案の携帯用スクリーンは、
前記第二のスクリーン板に関する長方形は、その長辺の長さが２５０ｍｍ〜４３０ｍｍであることを特徴とする。
【００２１】
第二のスクリーン板に関する長方形を、Ｂ５よりやや小さいサイズとＡ３よりやや大きいサイズの間の大きさとする、鞄に入れるのに適した大きさである。なお、短辺の長さは適宜に設計してよい。鞄に入れる際に短辺の長さが支障となることは少ないからである。
【考案の効果】
【００２２】
スクリーン自体を折りたたんで、折りたたんだ大きさの２倍までの大きさのスクリーンを携帯することができる。
【図面の簡単な説明】
【００２３】
【図１】図１は、携帯用スクリーンの形態を示す図である。
【図２】図２は、携帯用スクリーンの形態を示す図である。
【図３】図３は、携帯用スクリーンの第一の利用形態を示す図である。
【図４】図４は、携帯用スクリーンの第二の利用形態を示す図である。
【図５】図５は、携帯用スクリーンを示す図である。
【考案を実施するための形態】
【００２４】
本考案の原理については既に説明した。以下、１つの実施例を示す。
【００２５】
図５は、携帯用スクリーンを示す図である。図５（ａ）は、外観を示す斜視図である。携帯用スクリーンＳの表面は、白色のスクリーンシート４によって覆われている。側面及び裏面は、黒色の外部シート９で覆われている。すなわち、表面以外はすべて外部シート９で覆われ、図２（ｂ）のように折りたたんだ状態においては外部シート９のみが見える。
【００２６】
図５（ｂ）は、内部構造を示す断面図である。図５（ａ）におけるＢ線の断面図である。第一のスクリーン板１、第二のスクリーン板２、第一の端部板３１、第二の端部板３２及び第三の端部板３３が連接している。第三の端部板３３には３つの磁石６が設けられている。第二のスクリーン板２の第一の端部板３１側の端部には鉄板７が設けられている。第一のスクリーン板１の第二の端部板２側の端部には鉄板８が設けられている。
【００２７】
図５（ｃ）は、内部構造を示す別の断面図である。図５（ａ）におけるＣ線の断面図である。なお、スクリーンシート４及び外部シート９は板に密着しているが、図においては理解を容易にするために間隔を空けて示してある。
スクリーンシート４が第一のスクリーン板１、第二のスクリーン板２、第一の端部板３１、第二の端部板３２及び第三の端部板３３の表面全体を覆っている。第一のスクリーン板１及び第二のスクリーン板２のみを覆うことでもスクリーンとしては十分であるが、製造コストを小さくするために１枚のシートで全ての板を覆うものである。
また、表面以外の面は、外部シート９で覆われている。
磁石６、鉄板７及び鉄板８は、第三の端部板３３、第二のスクリーン板２及び第一のスクリーン板１の内部に設けられ、外部に露出していない。
【００２８】
図５（ｄ）は、図５（ｃ）において点線で示した部分の拡大図である。スクリーンシート４は第二の利用形態において第一のスクリーン板１と第二のスクリーン板２の間で伸びしろを必要とする。第一の利用形態でその伸びしろがどうなるかを示すものである。
図５（ｄ）に示すように、伸びしろの分が第一のスクリーン板１と第二のスクリーン板２の間に嵌入される。この部分は曲面となるが、プロジェクタから投影される画像がわからなくなるほどの歪曲にはならない。
【産業上の利用可能性】
【００２９】
スクリーン自体を折りたたんで、折りたたんだ大きさの２倍までの大きさのスクリーンとなる携帯用スクリーンであり、多くの個人、特に会社員による利用が考えられる。
【符号の説明】
【００３０】
１    第一のスクリーン板
２    第二のスクリーン板
３１  第一の端部板
３２  第二の端部板
３３  第三の端部板
４    スクリーンシート
５    磁着部
６    磁石
７    鉄板
８    鉄板
９    外部シート
【図１】
0003183717.tif 000003
【図２】
0003183717.tif 000004
【図３】
0003183717.tif 000005
【図４】
0003183717.tif 000006
【図５】
0003183717.tif 000007